(57)【要約】      （修正有）【課題】熱膨張、冷却収縮に依る変形を防止し、且つ防水、排水機能を具える固定式鎧戸の外枠装置を提供する。【解決手段】固定式鎧戸の外枠装置は、固定式鎧板片１０、外枠体２０、複数枚の水止め板３０及びその固定台４０から構成する。そのうち、固定式鎧板片の内枠１２を上下外枠２１の嵌合部２２aに嵌合し、下方の内枠を下外枠に固定し、上外枠と固定式鎧板片の間に許容空間を形成する。また、固定式鎧板片と両側の直立外枠２３を結合し、内部に隙間を残す。この他、外枠体前方に複数枚の水止め板を設置し、且つ固定式鎧板片の内枠に水受槽を成形する。外枠体には排水の斜面部を成形する。【選択図】図１３
0003118483.tif 000002
【実用新案登録請求の範囲】
【請求項１】
固定式鎧板片、外枠体、複数の水止め板及びその固定台から構成された固定式鎧戸の外枠装置において、
固定式鎧板片の内枠を上下外枠の嵌合部に嵌合し、下方の内枠を下外枠に固定し、上外枠と固定式鎧板片の間に許容空間を形成し、また固定式鎧板片と両側の直立外枠を結合し、内部に隙間を残し、この他、外枠体前方に複数枚の水止め板を設置し、且つ固定式鎧板片の内枠に水受槽を成形し、外枠体には排水のための斜面部を成形することを特徴とする、固定式鎧戸の外枠装置。
【請求項２】
請求項１記載の固定式鎧戸の外枠装置において、一組の固定式鎧板片、外枠体、複数の水止め板及びその固定台から構成され、そのうち、
複数の鎧板片及び内枠から構成され、その鎧板片は均等距離で両内枠間に設置し、板片の形状は、断面で見ると、Ｔ字型で、両端にはネジ固定孔を具え、鎧板片の中央部には湾曲部が成形され、内枠は断面で見ると、その適する位置に水受槽が成形され、後方には嵌合部で、且つ嵌合部は上向きに停止板が伸びる固定式鎧板片と、
上下外枠及び直立外枠から構成され、そのうち上外枠は断面で見ると、∩形で、適する位置に複数個のネジ固定孔が設置され、両側はそれぞれ貼合部で、その幅は固定式鎧板片の内枠に対応し、上外枠の中央位置は内枠の最上凸条に対応し、また下外枠は、断面で見ると、上方が斜面部で、その斜面部の適する位置に内枠を固定する凸条が設置され、下外枠の適する位置に複数個のネジ固定孔が設置され、その後方は上向きに嵌合部が伸び、また直立外枠は、断面で見ると、∩形で、その前後両側はそれぞれ掛合部で、その内壁の適する位置には数個の最上凸条が設置される外枠体と、
断面で見ると、前端が下向きに伸びた庇部で、その後端は各々上下に伸びる鈎部で、内面の適する位置には鈎条を具える水止め板と、
断面で見ると、Ｌ字型で、両端は各々鈎部を固定する嵌合部と鈎条に対応する湾曲部である固定台から構成され、
組立時、先ず鎧板片を均等距離で、両内枠の間に設置して、固定式鎧板片を形成し、固定式鎧板片の内枠には予め上下外枠の貼合部と嵌合部内に掛合しておき、更に下方の内枠を下外枠に固定し、上外枠と固定式鎧板片の間に許容空間を形成させ、続いて直立外枠をそれぞれ固定式鎧板片の左右両側に固定し、その固定式鎧板片は直立外枠の内側壁の最上凸条を押さえ、固定式鎧板片と左右両側の直立外枠の間に隙間を形成させ、そして固定台を等間隔で上から下へ直立外枠に相対する位置に固定し、最後に水止め板後端の鈎部を両側同じ高さの位置に嵌合し、設置した固定台の嵌合部内に対応させ、内面の鈎条を湾曲部に掛けることを特徴とする、固定式鎧戸の外枠装置。
【請求項３】
請求項１記載の固定式鎧戸の外枠装置において、等間隔で内枠の間に水平に設置することを特徴とする、固定式鎧戸の外枠装置。
【請求項４】
請求項３記載の固定式鎧戸の外枠装置において、鎧板片両側に設置し、且つ内枠は断面で見ると、両側に鎧板片の幅に対応する嵌合部を具え、且つ中央の適する位置に最上凸条を具え、他に内枠の外側の外向きに固定凸条が伸び、その固定凸条はＬ字型で、且つ湾曲箇所には斜め向きの弾性部を設置することを特徴とする、固定式鎧戸の外枠装置。
【考案の詳細な説明】
【技術分野】
【０００１】
本考案は、固定式鎧戸の外枠装置に関するもので、固定式鎧戸が温度変化によって熱膨張、冷却収縮して変形するのを防止し、完全な防水、排水機能を具えたものである。
【背景技術】
【０００２】
一般の鎧戸は、各種異なる用途で、オフィスビル、もしくは公共建築物の外壁上に設置される。その最も主な用途は、空気を出入り指せ、冷却設備に風を通すことである。この通風を良くする目的の他に、良好な防水、排水効果を具え、雨天の時に大量の雨水が設備に入って壊すのを防止する。
【０００３】
下述の公知技術は、図１，２，３に示すとおり、底桿ａ１、最上桿ａ２、直立桿ａ３が矩形の原始開口を囲む外枠ａを含む。複数個の架け橋部品ａ４がこの外枠ａを結合し、原始開口を複数個の矩形金型化ユニット開口に分けている。一つの鎧戸金型ｂは、少なくともひとつのユニット開口を受け、ひとつの覗幕ｃ、外枠ａにしっかり設置して原始開口を覆い、更に外枠ａの底桿ａ１は槽形状で、集水区及び排水区を形成し、その上の鎧戸金型ｂからの流れる水を捕らえる。直立桿ａ３は管体形状で水流を導き、水平中間の架け橋部品ａ４は直立桿ａ３の接点で連接する。この直立桿ａ３の接点上に排水孔ａ31があり、排水溝で開放され、排水溝から流れた水を受ける。鎧戸金型ｂには全て水を避ける特性があり、覗幕ｃも基本的に雨を止め、埃を避け、美観を整える効果を具える。
【０００４】
【特許文献１】台湾特許第３６０７３７号明細書
【０００５】
この他、一般の市場にある鎧戸、金型鎧戸もしくは固定式鎧戸は、全てセメントで外壁に設置する。これらは温度変化による熱膨張や冷却収縮の許容を設定していないため、長時間使用すると、湾曲変形し、元の機能にも影響を与える。
【考案の開示】
【考案が解決しようとする課題】
【０００６】
本考案の主な目的は、温度変化に依る変形を防止する固定式鎧戸の外枠装置を提供する。
【０００７】
本考案の次の目的は、適する防水、排水構造を具えた外枠体、内枠体により、完全な防、排水機能を具える固定式鎧戸の外枠装置を提供する。
【０００８】
上述の問題を達成するため、本考案の固定式鎧戸の外枠装置は、主に固定式鎧板片、外枠体、複数の水止め板及びその固定台を含む。この固定式鎧板片は、複数枚の鎧板片及び内枠から構成され、その鎧板片は、均等距離で二つの内枠の間に設置する。鎧板片の形状は、断面で見ると、Ｔ字型を形成し、両端にはネジ固定孔を具え、鎧板片１１中央部には湾曲部が成形される。内枠を断面で見ると、その適する位置に水受槽が設置され、後方には嵌合部が設置され、その嵌合部が上に伸びたところに停止板が設置される。外枠体は、上下外枠及び直立外枠から構成される。その上外枠は、断面から見ると∩形で、その適する位置には複数のネジ固定孔が設置され、両側には別に貼合部が設置される。その幅は、固定式鎧板片の内枠に対応する幅で、上外枠の中央は内枠の最上凸条に対応する。下外枠を断面で見ると、その上方は斜面部で、且つ斜面部の適する位置には内枠の凸条で固定して設置し、下外枠の適する位置には複数のネジ固定孔が設置され、その後方は上向きに嵌合部が設置される。
直立外枠は断面で見ると∩形で、その上下両側はそれぞれ貼合部で、その内側壁の適する位置には数個の最上凸条が設置される。水止め板は、断面で見ると、前端が下向きに伸びた庇部で、その後端は各々上下に伸びた鈎部が成形される。また水止め板内面の適する位置には、鈎条が設置される。この固定台は、断面で見るとＬ字型で、両端は各々鈎部を固定する嵌合部と、鈎条に対応する湾曲部が形成される。
【０００９】
上述を組み立てる時、先ず鎧板片を均等距離で二つの内枠の間に設置し、固定式鎧板片を形成する。固定式鎧板片の内枠を予め上下外枠の嵌合部内に掛合し、且つ下方の内枠を下外枠に固定する。上外枠と固定式鎧板片の間にはいくらかの空間が形成され、直立外枠をそれぞれ固定式鎧板片の左右両側に固定する。その固定式鎧板片は、直立外枠の内壁の最上凸条に合わさり、固定式鎧板片と左右両側の直立外枠の間に隙間を形成させる。そして、固定台を等間隔に上から下へ直立外枠と相対して固定する。最後に水止め板後端の鈎部を両側の同じ高さの位置に設置した固定台の嵌合部内に嵌合し、内面の鈎条を湾曲部上に掛合する。使用時、正面が最も温度変化の影響を受けやすく、固定式鎧戸片はそれが最も顕著である。公知の鎧戸もしくは固定式鎧戸片は完全に外枠体内部に固定されているため、その鎧戸片が熱膨張もしくは冷却収縮した時、体積の変化を吸収できないので、壊れてしまう。しかし、本考案は、固定式鎧戸片底部を下外枠に嵌合して固定するため、その上方は、内枠で上外枠の貼合部内に合わせるだけで、完全に固定しているわけではない。固定式鎧戸片が温度変化を受けて、体積が熱膨張もしくは冷却収縮した場合、その体積の変化は上方の可動空間で吸収され、外枠体が大きくなったことによって、固定式鎧戸片もしくは外枠体が壊れることがない。また正面の水止め板は嵌合固定方式を採用していて、ネジで固定していない。その体積に変化があった時、両側の固定台が外に向かって伸びたり、収縮したりする。他に、その前方に設置した水止め板が、第一段階として防水措置を行う。それは完全に覆われており、且つ前端に庇部を具えるため、大幅に水の進入量を下げる。更に鎧戸片を配列する時、各湾曲部は、別の鎧戸片と重畳干渉し、第二段階の防水措置を行う。また、適する排水システムを設置し、鎧戸片の湾曲部が止めた水流を底部の内枠の水受槽内に流し、内枠と外枠体両側の隙間から下外枠の斜面部へ排水される。多量の水が流れる時には、多量の水は、直接内枠前方から外部へ流れる。また、通風効果を確実に高めるだけでなく、雨水が室内に入るのを完全に防止して防、排水機能を高める。
【課題を解決するための手段】
【００１０】
請求項１の考案は、固定式鎧板片、外枠体、複数の水止め板及びその固定台から構成された固定式鎧戸の外枠装置において、
固定式鎧板片の内枠を上下外枠の嵌合部に嵌合し、下方の内枠を下外枠に固定し、上外枠と固定式鎧板片の間に許容空間を形成し、また固定式鎧板片と両側の直立外枠を結合し、内部に隙間を残し、この他、外枠体前方に複数枚の水止め板を設置し、且つ固定式鎧板片の内枠に水受槽を成形し、外枠体には排水のための斜面部を成形することを特徴とする、固定式鎧戸の外枠装置としている。
請求項２の考案は、請求項１記載の固定式鎧戸の外枠装置において、一組の固定式鎧板片、外枠体、複数の水止め板及びその固定台から構成され、そのうち、
複数の鎧板片及び内枠から構成され、その鎧板片は均等距離で両内枠間に設置し、板片の形状は、断面で見ると、Ｔ字型で、両端にはネジ固定孔を具え、鎧板片の中央部には湾曲部が成形され、内枠は断面で見ると、その適する位置に水受槽が成形され、後方には嵌合部で、且つ嵌合部は上向きに停止板が伸びる固定式鎧板片と、
上下外枠及び直立外枠から構成され、そのうち上外枠は断面で見ると、∩形で、適する位置に複数個のネジ固定孔が設置され、両側はそれぞれ貼合部で、その幅は固定式鎧板片の内枠に対応し、上外枠の中央位置は内枠の最上凸条に対応し、また下外枠は、断面で見ると、上方が斜面部で、その斜面部の適する位置に内枠を固定する凸条が設置され、下外枠の適する位置に複数個のネジ固定孔が設置され、その後方は上向きに嵌合部が伸び、また直立外枠は、断面で見ると、∩形で、その前後両側はそれぞれ掛合部で、その内壁の適する位置には数個の最上凸条が設置される外枠体と、
断面で見ると、前端が下向きに伸びた庇部で、その後端は各々上下に伸びる鈎部で、内面の適する位置には鈎条を具える水止め板と、
断面で見ると、Ｌ字型で、両端は各々鈎部を固定する嵌合部と鈎条に対応する湾曲部である固定台から構成され、
組立時、先ず鎧板片を均等距離で、両内枠の間に設置して、固定式鎧板片を形成し、固定式鎧板片の内枠には予め上下外枠の貼合部と嵌合部内に掛合しておき、更に下方の内枠を下外枠に固定し、上外枠と固定式鎧板片の間に許容空間を形成させ、続いて直立外枠をそれぞれ固定式鎧板片の左右両側に固定し、その固定式鎧板片は直立外枠の内側壁の最上凸条を押さえ、固定式鎧板片と左右両側の直立外枠の間に隙間を形成させ、そして固定台を等間隔で上から下へ直立外枠に相対する位置に固定し、最後に水止め板後端の鈎部を両側同じ高さの位置に嵌合し、設置した固定台の嵌合部内に対応させ、内面の鈎条を湾曲部に掛けることを特徴とする、固定式鎧戸の外枠装置としている。
請求項３の考案は、請求項１記載の固定式鎧戸の外枠装置において、等間隔で内枠の間に水平に設置することを特徴とする、固定式鎧戸の外枠装置としている。
請求項４の考案は、請求項３記載の固定式鎧戸の外枠装置において、鎧板片両側に設置し、且つ内枠は断面で見ると、両側に鎧板片の幅に対応する嵌合部を具え、且つ中央の適する位置に最上凸条を具え、他に内枠の外側の外向きに固定凸条が伸び、その固定凸条はＬ字型で、且つ湾曲箇所には斜め向きの弾性部を設置することを特徴とする、固定式鎧戸の外枠装置としている。
【考案の効果】
【００１１】
本考案の固定式鎧戸の外枠装置は、熱膨張、冷却収縮に依る変形を防止し、且つ完全な防水、排水機能を具えるという利点がある。
【考案を実施するための最良の形態】
【００１２】
図４、５に示すとおり、本考案は、固定式鎧板片１０、外枠体２０、複数の水止め板３０及びその固定台４０を含む。そのうち、
【００１３】
この固定式鎧板片は、複数枚の鎧板片１１及び内枠１２から構成され、その鎧板片１１は、均等距離で二つの内枠１２の間に設置される。図６に示すとおり、鎧板片１１の形状は、断面で見ると、Ｔ字型を形成し、両端にはネジ固定孔１１ａを具え、鎧板片１１中央部には湾曲部１１ｂが成形される。図７に示すとおり、内枠１２を断面で見ると、その適する位置に水受槽１２ａが設置され、後方には嵌合部１２ｂが設置され、その嵌合部１２ｂが上に伸びたところに停止板１２ｃが設置される。
【００１４】
外枠体２０は、上下外枠２１、２２、直立外枠２３から構成される。図８に示すとおり、上外枠２１は、断面から見ると∩形で、その適する位置には複数のネジ固定孔２１ａが設置され、両側には別に貼合部２１ｂが設置される。この幅は、固定式鎧板片１０の内枠１２と対応し、上外枠２１中央は内枠１２の最上凸条２１ｃに対応する。図９に示すとおり、下外枠２２を断面で見ると、上方は斜面部２２ａで、且つ斜面部２２ａの適する位置には内枠１２の凸条２２ｂで固定して設置し、下外枠２２の適する位置には複数のネジ固定孔２２ｃが設置され、その後方は上向きに嵌合部２２ｄが設置される。図１０に示すとおり、直立外枠２３は断面で見ると、∩形で、上下両側はそれぞれ貼合部２３ａで、その内側壁の適する位置には数個の最上凸条２３ｂが設置される。
【００１５】
水止め板３０は、図１１に示すとおり、断面で見ると、前端が下向きに伸びた庇部３１で、その後端は各々上下に伸びた鈎部３２が成形される。また水止め板３０内面の適する位置には、鈎条３３が設置される。
【００１６】
この固定台４０は、図１２に示すとおり、断面で見ると、Ｌ字型で、両端は各々鈎部３２を固定する嵌合部４１と、鈎条３３に対応する湾曲部４２に対応する。
【００１７】
組立時、先ず鎧板片１１を均等距離で二つの内枠１２の間に設置し、固定式鎧板片１０を形成する。固定式鎧板片１０の内枠１２を予め上下外枠２１、２２の貼合部２１ｂ都嵌合部２２ｄ内に掛合し、且つ下方の内枠１２を下外枠２２に固定する。上外枠２１と固定式鎧板片１０の間にはいくらかの空間が形成され、直立外枠２３をそれぞれ固定式鎧板片１０の左右両側に固定する。固定式鎧板片１０は、直立外枠２３の内壁の最上凸条２３ｂに合わさり、固定式鎧板片１０と左右両側の直立外枠２３の間に隙間を形成させる。そして、固定台４０を等間隔に上から下へ直立外枠２３と相対して固定する。最後に水止め板３０後端の鈎部３２を両側の同じ高さの位置に設置した固定台４０の嵌合部４１内に嵌合し、内面の鈎条３３を湾曲部４２上に掛合する。
【００１８】
図１３に示すのは、本考案の別の実施例で、固定式鎧板片１０は、数枚の鎧板片１１を水平に設置した内枠１２の間に等距離に設置する。図１４に示すとおり、内枠１２は、鎧板片１１の両側に設置し、且つその内枠１１両側に設置する。且つ内枠１２は断面で見ると、両側各々鎧板片１１の幅に対応する嵌合部１２ｄを具え、更に中央の適する位置に最上凸条１２ｅを具え、組立後、鎧板片１１と内枠１２の間に隙間を形成し、排水しやすくする。この他、内枠１２の外側に外向きに固定凸条１２ｆが伸び、Ｌ字型に成形され、且つ斜めの弾性部１２ｇを設置し、鎧板片１１が温度変化を受けたとき、熱膨張冷却縮小する空間を形成する。外枠体２０と結合した時、内枠１１を直立外枠２３上に固定し、内枠１１外壁は上下外枠２１，２２の貼合部２１ｂ及び嵌合部２ｄ内でしっかりと結合し、水止め板３０と固定台４０を外枠体２０前方の適する位置に設置する。
【図面の簡単な説明】
【００１９】
【図１】公知の金型化鎧戸システム実施時の正面立体簡易図である。
【図２】公知の金型化鎧戸システムの一部枠の簡易図である。
【図３】公知の金型化鎧戸システムの底部の側面断面図である。
【図４】本考案の立体分解図である。
【図５】本考案立体組立図である。
【図６】本考案の水止め板の断面指示図である。
【図７】本考案の内枠の断面指示図である。
【図８】本考案の外枠断面指示図である。
【図９】本考案の下外枠断面指示図である。
【図１０】本考案の直立外枠の断面指示図である。
【図１１】本考案の雨避板の断面指示図である。
【図１２】本考案の固定台の断面指示図である。
【図１３】本考案に水平固定式水止め板を設置した立体構造図である。
【図１４】本考案の水平固定式水止め板内枠の断面指示図である。
【符号の説明】
【００２０】
ａ        外枠
ａ１        底桿
ａ２        最上桿
ａ３        直立桿
ａ４        架け橋部品
１０        固定式鎧板片
１１        鎧板片
１１ａ      ネジ固定孔
１１ｂ      湾曲部
１２        内枠
１２ａ      水受槽
１２ｂ      嵌合部
１２ｃ      停止板
１２ｄ      嵌合部
１２ｅ      最上凸条
１２ｆ      固定凸条
１２ｇ      弾性部
２０        外枠体
２１        上外枠
２１ａ      ネジ固定孔
２１ｂ      貼合部
２１ｃ      最上凸条
２２        下外枠
２２ａ      斜面部
２２ｂ      凸条
２２ｃ      ネジ固定孔
２２ｄ      嵌合部
２３        直立外枠
２３ｂ      最上凸条
２３ａ      貼合部
３０        水止め板
３１        庇部
３２        鈎部
３３        鈎条
４０        固定台
４１        嵌合部
４２        湾曲部
【図１】
0003118483.tif 000003
【図２】
0003118483.tif 000004
【図３】
0003118483.tif 000005
【図４】
0003118483.tif 000006
【図５】
0003118483.tif 000007
【図６】
0003118483.tif 000008
【図７】
0003118483.tif 000009
【図８】
0003118483.tif 000010
【図９】
0003118483.tif 000011
【図１０】
0003118483.tif 000012
【図１１】
0003118483.tif 000013
【図１２】
0003118483.tif 000014
【図１３】
0003118483.tif 000015
【図１４】
0003118483.tif 000016